(57)【要約】      （修正有）【課題】縦方向に延びるポールと横方向に延びるポールとを互いの交差部位において継ぎ止めることのできるポールの継ぎ手を提供する。【解決手段】ポールの継ぎ手１は、横方向へ延びる第２ポール１２を下方から支えることのできる支持部を有する。支持部は、横方向へ延びる回転軸３９を中心に往復回転運動可能な回転子３６を有する。回転子３６の傾斜面３６ｄが第２ポール１２を下方から支えるときには、部位３５で露出している第１ポール１１と傾斜面３６ｄとに第２ポール１２が接触して回転子３６を回転させ、第２ポール１２の下端部３６ｂで第１ポール１１を押圧して扉２３に圧接させることにより、継ぎ手１と第１ポール１１とを固定状態に保ち、継ぎ手１によって第１ポール１１と第２ポール１２とを継ぎ止めることができる。【選択図】図４
2014087271.tif 000002
【特許請求の範囲】
【請求項１】
互いに直交する縦方向と横方向とのうちの前記縦方向に延びる第１ポールと、前記第１ポールと立体的に交差して前記横方向へ延びる第２ポールとを互いの交差部位において継ぎ止めることのできる継ぎ手であって、
前記継ぎ手が、前記縦方向と前記横方向とに直交する前後方向の前方に前記第１ポールの前記縦方向における一部分に対しての収容部を有する一方、前記前後方向の後方に前記第２ポールの前記横方向における一部分を前記縦方向の下方から支えることのできる支持部を有し、
前記収容部は、前記横方向において離間対向して前記縦方向へ延びる一対の側壁と一対の前記側壁によって形成されて前記縦方向へ延びる開口部とを有する溝が前記開口部を扉によって開閉することができるように形成されていて、前記溝の底部には収容した前記第１ポールの周面の一部を露出させるための部位が形成され、
前記支持部は、前記前後方向において前記底部外面と対向するように配置されていて前記横方向へ延びる回転軸を中心に往復回転運動が可能な回転子を有するとともに、前記回転子が前記縦方向において前記回転軸よりも上方に位置する上端部と前記回転軸よりも下方に位置する下端部と、前記上端部から前記下端部に向かって下り勾配になっていて、前記溝の前記開口部と対向する傾斜面とを有し、
前記回転子は、前記上端部が前記溝の底部に接近する方向へ付勢される一方、前記下端部が前記支持部におけるストッパーに当接して前記回転子の回転運動範囲を規制しており、
前記支持部における前記第２ポールは、前記溝部の前記開口に露出する前記第１ポールと前記回転子の前記傾斜面とに接触して、前記回転子を前記付勢に抗して回転させるとともに、前記回転子の前記下端部を前記第１ポールに圧接させて前記継ぎ手と前記第１ポールとを固定状態に保つとともに、前記回転子によって前記第２ポールを下方から支持できることを特徴とする前記継ぎ手。
【請求項２】
前記扉が一対の前記側壁のうちの一方に対して旋回可能かつ上下動作可能に取り付けられていて、閉じた状態の前記扉を前記側壁のもう一方に対して施錠、開錠する操作として前記上下動作が使用される請求項１記載の継ぎ手。
【請求項３】
前記継ぎ手は、前記横方向において離間対向させた二枚のパネルと、二枚の前記パネルの間に介在させた板状の前記回転子と、二枚の前記パネルの一方に旋回可能に取り付けた前記扉とを有し、二枚の前記パネルには前記第２ポールを前記横方向において挿通可能であり、かつ、前記回転子における前記傾斜部の一部分があらわれる透孔が形成されている請求項１または２記載の継ぎ手。
【発明の詳細な説明】
【技術分野】
【０００１】
この発明は、野菜の蔓や苗木の枝等を這わせるための垂直なポールと水平なポールとをそれらの交差部位において継ぎ止めるのに好適な継ぎ手に関する。
【背景技術】
【０００２】
従来、この種の継ぎ手は公知でもあり周知でもある。
【０００３】
例えば、特開２００７−１４２７４号公報（特許文献１）に開示の樹木支持用の支柱固定部材は、交差する一対の支柱の一方に外嵌可能な第１筒状リングと、もう一方の支柱に外嵌可能な第２筒状リングとを有する。第２筒状リングには、第１筒状リングにおける第１ネジ受部に進入退出可能な杆状ネジ部が形成されている。第２筒状リングには第２ネジ受部が形成されている。第２ネジ受部に螺合したボルトによって第２筒状リング内の樹木を押圧することができる。
【０００４】
また、特開２０１２−１０５６３０号公報（特許文献２）に開示の植物栽培用の機能性キャップ具は、縦方向へ延びるパイプに取り付けられる連結部材と、その連結部材の頂部に取り付けられて横方向へ延びるパイプが上方から圧入される断面形状が逆Ω字状の保持部材とを有する。
【先行技術文献】
【特許文献】
【０００５】
【特許文献１】特開２００７−１４２７４号公報
【特許文献２】特開２０１２−１０５６３０号公報
【発明の概要】
【発明が解決しようとする課題】
【０００６】
特許文献１に開示の支柱固定部材は、縦方向と横方向とに延びるポールをそれらの交差部位において継ぎ止めることのできるものではあるが、固定部材はリング状のものであるから、それを樹木やポールに取り付けるには、まず最初に樹木やポールの先端を固定部材に挿入しなければならず、手間がかかるという問題がある。また、ポールに既に取り付けてある固定部材どうしの間に固定部材を追加的に取り付けることができないという問題もある。
【０００７】
特許文献２に開示の機能性キャップ具は、横方向へ延びるパイプを一本だけ保持することができるもので、縦方向に並ぶ複数本のパイプは支持することができないという問題を有する。
【０００８】
この発明は、従来技術におけるこのような問題を解消することができるポールの継ぎ手の提供を課題にしている。
【課題を解決するための手段】
【０００９】
前記課題を解決するために、この発明が対象とするのは、互いに直交する縦方向と横方向とのうちの前記縦方向に延びる第１ポールと、前記第１ポールと立体的に交差して前記横方向へ延びる第２ポールとを互いの交差部位において継ぎ止めることのできる継ぎ手である。
【００１０】
この継ぎ手において、この発明が特徴とするところは、以下のとおりである。すなわち、前記継ぎ手は、前記縦方向と前記横方向とに直交する前後方向の前方に前記第１ポールの前記縦方向における一部分に対しての収容部を有する一方、前記前後方向の後方に前記第２ポールの前記横方向における一部分を前記縦方向の下方から支えることのできる支持部を有する。前記収容部は、前記横方向において離間対向して前記縦方向へ延びる一対の側壁と一対の前記側壁によって形成されて前記縦方向へ延びる開口部とを有する溝が前記開口部を扉によって開閉することができるように形成されていて、前記溝の底部には収容した前記第１ポールの周面の一部を露出させるための部位が形成されている。前記支持部は、前記前後方向において前記底部外面と対向するように配置されていて前記横方向へ延びる回転軸を中心に往復回転運動が可能な回転子を有するとともに、前記回転子が前記縦方向において前記回転軸よりも上方に位置する上端部と前記回転軸よりも下方に位置する下端部と、前記上端部から前記下端部に向かって下り勾配になっていて、前記溝の前記開口部と対向する傾斜面とを有する。前記回転子は、前記上端部が前記溝の底部に接近する方向へ付勢される一方、前記下端部が前記支持部におけるストッパーに当接して前記回転子の回転運動範囲を規制している。前記支持部における前記第２ポールは、前記溝部の前記開口に露出する前記第１ポールと前記回転子の前記傾斜面とに接触して、前記回転子を前記付勢に抗して回転させるとともに、前記回転子の前記下端部を前記第１ポールに圧接させて前記継ぎ手と前記第１ポールとを固定状態に保つとともに、前記回転子によって前記第２ポールを下方から支持できる。
【００１１】
この発明の実施態様の一つにおいて、前記扉が一対の前記側壁のうちの一方に対して旋回可能かつ上下動作可能に取り付けられていて、閉じた状態の前記扉を前記側壁のもう一方に対して施錠、開錠する操作として前記上下動作が使用される。
【００１２】
この発明の実施態様の他の一つにおいて、前記継ぎ手は、前記横方向において離間対向させた二枚のパネルと、二枚の前記パネルの間に介在させた板状の前記回転子と、二枚の前記パネルの一方に旋回可能に取り付けた前記扉とを有し、二枚の前記パネルには前記第２ポールを前記横方向において挿通可能であり、かつ、前記回転子における前記傾斜部の一部分があらわれる透孔が形成されている。
【発明の効果】
【００１３】
この発明に係るポールの継ぎ手は、縦方向へ延びる第１ポールに対しての収容部が縦方向へ延びる溝を有し、その溝には縦方向へ延びる開口部が形成されている。継ぎ手は、その開口部を使うことによって、第１ポールを収容することができる。それゆえ、この継ぎ手は、第１ポールの縦方向における任意の部位に取り付けることができる。また、第１ポール対して既に取り付けてある継ぎ手と継ぎ手との間においても、追加の継ぎ手をその第１ポールに対して取り付けることができる。
【図面の簡単な説明】
【００１４】
【図１】この発明に係るポールの継ぎ手の使用状態にあるときの斜視図。
【図２】第１、第２ポールが取り外してあるポールの継ぎ手の斜視図。
【図３】ポールの継ぎ手の一部分を破断して、扉を閉めるときの手順を示すポールの継ぎ手の斜視図。
【図４】図１のＩＶ−ＩＶ線断面図。
【発明を実施するための形態】
【００１５】
添付の図面を参照して、この発明に係るポールの継ぎ手の詳細を説明すると、以下のとおりである。
【００１６】
図１は、使用状態にあるポールの継ぎ手１の斜視図である。継ぎ手１は、縦方向Ａへ垂直に延びる第１ポール１１と、縦方向Ａに直交する横方向Ｂへ水平に延びる第２ポール１２とが立体的に交差する部位において、これら第１，第２ポールを継ぎ止めるために使用されている。図における双頭矢印Ｃは、縦方向Ａと横方向Ｂとに直交する前後方向を示している。
【００１７】
継ぎ手１は、横方向Ｂにおいて離間対向する二枚の金属パネル２，３によって形成されていて、前後方向Ｃの前方に第１ポール１１に対する収容部４を有し、前後方向の後方に第２ポール１２を縦方向Ａの下方から支えることのできる支持部５を有する。
【００１８】
収容部４には、第１ポール１１の縦方向Ａの一部分を収容する溝２１と、溝２１の縦方向Ａへ延びる開口部２２を開閉することのできる扉２３とが形成されている。溝２１は、横方向Ｂにおいて対向する一対の側壁２４，２５と、一対の底部２６，２７（図２参照）とによって形成されている。側壁２４，２５には、扉２３を開閉するために使用する縦方向Ａに長い透孔２８，２９が互いに対向するように形成されている。底部２６，２７は第１ポール１１の外周面１１ａに接触できるように弧を画いている。
【００１９】
支持部５は、金属パネル２，３を寸法Ｅだけ離間させておくためのスペーサ部分３１，３２，３３（図４参照）を含んでいる。スペーサ部分３１，３２，３３は、金属パネル２の一部分を折り重ねることにより形成されていて、金属パネルに対して溶接等により一体化されている。支持部５にはまた、第２ポール１２を横方向Ｂにおいて挿通するための透孔３４，３５のそれぞれが金属パネル２，３のそれぞれに形成されていて、透孔３４，３５の内側には支持部５の一部分である回転子３６が見えている。
【００２０】
図２における継ぎ手１では、溝２１において扉２３を開放することによって、第１ポール１１を矢印Ｃ１で示す方向へ移動させて溝２１から外してある。この矢印Ｃ１は、前後方向Ｃに平行する方向である。また、第２ポール１２は、横方向Ｂにおける左方へ移動させることによって透孔３４，３５から抜き取ってある。この図から明らかなように、溝２１の底部２６と底部２７との間には、横方向Ｂにおいて互いに離間する部位３０が形成されている。部位３０は、横方向Ｂに寸法Ｅを有する。
【００２１】
図２において、扉２３は、角筒状のスリーブ２３ａ、板状部２３ｂ、上下一対の第１ストッパー部２３ｃ、板状部２３ｂから下方へ延びる第２ストッパー部２３ｄを有する。スリーブ２３ａは、収容部４の側壁２４において縦方向Ａへ延びている縁部３７を囲んだ状態にあって、扉２３は縁部３７を中心に双頭矢印Ｄで示す方向へ旋回可能である。扉２３が閉じて図１の状態にあるときに、収容部４の側壁２５において縦方向Ａへ延びている縁部３８の内面３８ａに対しては第１ストッパー部２３ｃが接近または接触し、縁部３８の外面３８ｂに対しては第２ストッパー部２３ｄが接近または接触していて、閉じている扉２３が開くことのないように側壁２５に対して施錠された状態にあるとともに、横方向Ｂへ大きく揺動することもない。
【００２２】
図２においてはまた、支持部５における金属パネル２に横方向Ｂへ延びるピン３９が取り付けられていて、そのピン３９が支持部５における金属パネル３にまで延びている。金属パネル２はまた、その内面の一部分を金属パネル３に向かって突出させるための凹部４１が形成されている。
【００２３】
図３は、扉２３を閉じるときの手順を示す継ぎ手１の斜視図であって、継ぎ手１の一部分が破断されている。図２においての第１ポール１１を矢印Ｃ１とは反対の方向に移動させ、溝２１に収容して、図３の状態にする。次に、開いている扉２３を透孔２８の上端に接触するところまで持ち上げて仮想線で示された状態にする。さらに、スリーブ２３ａの内周面を側壁２４の縁部３７に押し当てるようにしながら、扉２３を双頭矢印Ｄに沿って閉じる方向へ旋回させて、扉２３における板状部２３ｂの位置を横方向Ｂにおいて、側壁２５における透孔２９と整列させる。さらに板状部２３ｂが透孔２９へ進入するように扉２３を矢印Ｈで示す方向へ移動させると、第２ストッパー部２３ｄが透孔２９を通り抜けた後に第１ストッパー部２３ｃが側壁２５に当接して、扉２３の矢印Ｈで示す方向への移動が止まる。しかる後に、扉２３の自重または扉２３を押し下げる手動操作によって扉２３が矢印Ｊで示す方向へ下降すると、側壁２５の外側にある第２ストッパー部２３ｄが透孔２９の下端よりもさらに下方に位置するようになって、図１の状態の扉２３となる。図１の扉２３は、それを開こうとしても第２ストッパー部２３ｄが側壁２５に当接することによって矢印Ｈとは反対の方向へ移動させることができず、したがってまた開くこともできない。扉２３を開錠状態にして開くには、それを矢印Ｊとは反対の方向へ上昇させた後に矢印Ｈとは反対の方向へ移動させて、第２ストッパー部２３ｄが透孔２９を通過するようにしなければならない。このようにして、側壁２５に対して扉２３を上下動させる操作は、扉２３を側壁２５に対して施錠状態にしたり、開錠状態にしたりするために使用されている。扉２３におけるスリーブ２３ａの開口は扉２３の旋回と矢印Ｈ方向への移動とが可能となるように大きく作られている。なお、図２において、矢印Ｈは横方向Ｂに平行する方向であり、矢印Ｊは縦方向Ａに平行する方向である。
【００２４】
図２，３において明らかなように、継ぎ手１は、第１ポール１１を前後方向Ｃへ動かすことによって、収容部４に対しての出し入れが可能なものである。それゆえ、第１ポール１１に既に取り付けてある継ぎ手１と継ぎ手１との間において、追加の継ぎ手１を第１ポール１１に取り付けることは容易である。
【００２５】
図４は、図１のＩＶ−ＩＶ線断面図であって、透孔３４（図１，２参照）と透孔３５とに挿通された第２ポール１２が実線で示され、透孔３５に挿通される前の第２ポール１２が仮想線で示されている。また、第２ポール１２が挿通される前の回転子３６も仮想線で示されている。回転子３６は、ピン３９を中心にして、矢印Ｆが示す時計方向とその反対方向とに往復回転運動可能に作られている。回転子３６はまた、上端部分３６ａと、下端部分３６ｂとを有する。上端部分３６ａには、透孔３６ｃが形成され、その透孔３６ｃとスペーサ部分３１との間に延びるコイルばね４２によって、回転子３６が時計方向Ｆに向かって付勢されている。回転子３６の上端部３６ａと下端部３６ｂとの間には、溝２１に向かって下り勾配となるように傾斜面３６ｄが延びている。透孔３５に挿通された第２ポール１２は、回転子３６の傾斜面３６ｄと、第１ポール１１の外周面１１ａとに接触して、回転子３６をばね付勢に抗して反時計方向へ回転させ、回転子３６の下端部分３６ｂを第１ポール１１の周面に圧接させる一方、第１ポール１１を扉２３に圧接させている。このような状態にある第１ポール１１は、継ぎ手１に対して下方へ動くことがない。換言すると、継ぎ手１は、第１ポール１１に対して下方へ動くことがない。したがって、第１ポール１１と第２ポール１２とは、継ぎ手１によって、立体的に交差した状態に保たれる。
【００２６】
図４に仮想線で示されている回転子３６は、その傾斜面３６ｄに第２ポール１２が作用していないときのものである。時計方向Ｆへ付勢されている回転子３６は、下端部分３６ｂがスペーサ３２に当接することによって、回転の範囲が規制されている。
【００２７】
この発明において、継ぎ手１の諸寸法は、この継ぎ手の使用対象となる第１ポール１１と第２ポール１２との寸法に適合するように決めればよいものである。
【符号の説明】
【００２８】
１    ポールの継ぎ手
２    パネル
３    パネル
４    収容部
５    支持部
１１    第１ポール
１１ａ    外周面
１２    第２ポール
２１    溝
２２    開口部
２３    扉
２４    側壁
２５    側壁
２６    底部
２７    底部
３２    ストッパー（スペーサ）
３４    部位（透孔）
３５    部位（透孔）
３６    回転子
３６ａ    上端部
３６ｂ    下端部
３６ｄ    傾斜面
３９    回転軸（ピン）
Ａ    縦方向
Ｂ    横方向
Ｃ    前後方向
【図１】
2014087271.tif 000003
【図２】
2014087271.tif 000004
【図３】
2014087271.tif 000005
【図４】
2014087271.tif 000006